(57)【要約】      （修正有）【課題】子供の性別を問わず、誕生祝として、家族以外の複数の人から贈ることができ、また、大人に対しても、季節を問わず、新たな需要を喚起させることのできる扇子及び扇子セットを提供する。【解決手段】一対の親骨２と、一対の親骨２間に配置された複数本の中骨３と、一対の親骨２および複数本の中骨３の各基端部に貫通状態で設けられた要４と、全面に鯉のぼりの柄が配された扇状の布体が、一対の親骨２および複数の中骨３に蛇腹状になるよう固着された屈折地膜５と、を備える。【選択図】図１
0003207563.tif 000002
【実用新案登録請求の範囲】
【請求項１】
一対の親骨と、
前記一対の親骨間に配置された複数本の中骨と、
前記一対の親骨および前記複数本の中骨の各基端部に貫通状態で設けられた要と、
全面に鯉のぼりの柄が配された扇状の布体が、前記一対の親骨および前記複数の中骨に蛇腹状になるよう固着された屈折地膜と、
を備える扇子。
【請求項２】
請求項１に記載の扇子であって、
前記屈折地膜の布体は、鯉のぼりを製造するための生地から、扇状に切り取られてなる扇子。
【請求項３】
請求項１又は請求項２に記載の扇子を少なくとも一枚以上取り付け可能な取付台を備える扇子セット。
【請求項４】
請求項３に記載の扇子セットであって、さらに、
前記扇子と前記取付台とを覆う透明のカバーを備える扇子セット。
【考案の詳細な説明】
【技術分野】
【０００１】
本考案は、扇子の地膜に鯉のぼりの生地を使用することで、例えば子供の誕生祝として贈ることができる扇子及び扇子セットに関する。
【背景技術】
【０００２】
西洋では古くから「銀のスプーンをくわえて産まれてきた子どもは幸せになる」という言い伝えがあり、近年、日本でも、友人の子供の誕生祝いなどに、銀のスプーンを贈る機会が増えてきている。一方、日本でも男の子の誕生祝いに、子供の健康と出世を願って鯉のぼりを贈る風習がある。
【０００３】
しかしながら、鯉のぼりは、主に祖父母をはじめとした家族から贈ることが一般的であり、家族以外から贈る機会というのは稀であった。また、飾るスペースなどの問題や、子供一人に一つというイメージがあり、家族以外からは贈り難かった。さらにまた、日本では、鯉のぼりは男の子のお祝いのイメージが強いため、子供の性別が分からないと、鯉のぼりをモチーフにした製品を選ぶことができなかった。
【０００４】
また、鯉のぼりの生地は、美しい光沢と、鮮明ながら自然な発色、しなやかさを備え、耐久性、耐光性、防水性、透浸性にも優れているが、そのモチーフや材質など、鯉のぼりの生地を生かした製品は少ない。高級感があり、品質の良い鯉のぼりの生地は、成人向けの製品としても、需要者を十分に満足させることができるものであるが、成人向けの製品に使われる機会は少ない。
【０００５】
一方、扇子は、涼を得る道具として古くから利用されており、外国人をはじめとする旅行客の土産としても人気がある。しかしながら、扇子は季節商品であり、暑い夏は需要があるが、夏以外の季節や冷夏の場合は需要が少ない。
【０００６】
季節を問わず扇子を使用してもらう為の技術としては、例えば特許文献１の様に、部材を追加することで新たな機能を付与することができる扇子に関するものが開示されている。
【０００７】
また、扇子を、壁や棚などに飾る装飾品として使用する場合には、比較的季節を問わず使用できるが、このような技術としては、例えば特許文献２のような、持ち運びに便利であるとともに、コストの増大を招くことなく、装飾に伴う外観品質の低下防止を図ることのできる扇子に関する技術が開示されている。
【先行技術文献】
【特許文献】
【０００８】
【特許文献１】特開２０１５−１９８９９７号公報
【特許文献２】特許第４４２２１２０号公報
【考案の概要】
【考案が解決しようとする課題】
【０００９】
しかしながら、従来の扇子に関する発明や考案は、機能面での改良ばかりであった。このような改良は、扇子を使用する習慣のない人の需要を喚起することは難しく、新たな需要者の開拓という面では効果が少ないという問題があった。
【００１０】
本考案は、従来のこのような問題点に鑑みてなされたものである。本考案の目的の一は、子供の性別を問わず、誕生祝として、家族以外の複数の人から贈ることができ、また、大人に対しても、季節を問わず、新たな需要を喚起させることのできる扇子及び扇子セットを提供することにある。
【課題を解決するための手段及び考案の効果】
【００１１】
本考案の第１の側面に係る扇子によれば、一対の親骨と、前記一対の親骨間に配置された複数本の中骨と、前記一対の親骨および前記複数本の中骨の各基端部に貫通状態で設けられた要と、全面に鯉のぼりの柄が配された扇状の布体が、前記一対の親骨および前記複数の中骨に蛇腹状になるよう固着された屈折地膜と、を備えることができる。前記構成により、鯉のぼりの柄を、日本の伝統工芸品としても有名な扇子の地膜に使用することで、新たな需要を開拓することができる。例えば、鯉のぼりの様に、子供が健康に育ち、将来は大きく出世して欲しいという願いをこめて、誕生祝いなどとして贈ることができる。扇子は女性への贈答品として選択すると喜ばれることが多いため、扇子という物品の形態をとることで、男の子ばかりでなく、女の子の誕生祝としての需要も満たすことができる。このように、子供の性別が分からない場合の贈答品としてもよく、複数の人から貰ってもよいので、家族以外からでも気軽に贈ることができる。飾らない時は折り畳んで収納でき、飾るときも狭いスペースで飾ることができる。
【００１２】
また、本考案の第２の側面に係る扇子によれば、さらに、前記屈折地膜の布体は、鯉のぼりを製造するための生地から、扇状に切り取られてなることができる。前記構成により、鯉のぼりを製造するための生地を新たな用途に使用できる。用途が多様化することで大量生産できるので、鯉のぼりも扇子も安価に製造できる。
【００１３】
鯉のぼりの布は、高品質で、非常に美しいため、成人向けの製品として、例えば、就職や昇進の記念品としても、購入者自身が使用するものとしても、需要者を十分に満足させることができる。扇子も、鯉のぼりも、日本らしいものであるため、土産物としての需要をより高めることができる。贈答品や土産物、装飾品としての扇子は、季節を問わず販売することができる。
【００１４】
さらにまた、本考案の第３の側面に係る扇子によれば、本考案の第１の側面に係る扇子又は本考案の第２の側面に係る扇子を少なくとも一枚以上取り付け可能な取付台を備えることができる。前記構成により、組物として取付台を備えることで、扇子と取付台が一体となり、扇子をより美しく飾り付けることができる。複数の扇子を並べて飾り付けることで、見応えのある装飾品にすることができる。
【００１５】
さらにまた、本考案の第４の側面に係る扇子によれば、前記扇子と前記取付台とを覆う透明のカバーを備えることができる。前記構成により、カバー付きのケースに入れることで、飾り付けや片付けが楽にできる。汚れや劣化を防止できるのできれいな状態を保つことができる。
【図面の簡単な説明】
【００１６】
【図１】本考案に係る扇子の全体構成を示す正面概略図である。
【図２】本考案に係る扇子の全体構成を示す背面概略図である。
【図３】本考案に係る扇子の全体構成を示す側面概略図である。
【図４】本考案に係る扇子の製造方法に関する図で、図４Ａは親骨、図４Ｂは中骨、図４Ｃは組立断面図である。
【図５】本考案に係る扇子の製造方法に関する図で、図５Ａは鯉のぼりの生地から切り出す様子、図５Ｂは扇子の仕上げの様子を示す図である。
【考案を実施するための形態】
【００１７】
以下、本考案の実施の形態を図面に基づいて説明する。ただし、以下に示す実施の形態は、本考案の技術思想を具体化するための例示であって、本考案は以下のものに特定されない。また、本明細書は実用新案登録請求の範囲に示される部材を、実施の形態の部材に特定するものでは決してない。特に実施の形態に記載されている構成部品の寸法、材質、形状、その相対的配置等は特に特定的な記載がない限りは、本考案の範囲をそれのみに限定する趣旨ではなく、単なる説明例にすぎない。なお、各図面が示す部材の大きさや位置関係等は、説明を明確にするため誇張していることがある。さらに以下の説明において、同一の名称、符号については同一もしくは同質の部材を示しており、詳細説明を適宜省略する。さらに、本考案を構成する各要素は、複数の要素を同一の部材で構成して一の部材で複数の要素を兼用する態様としてもよいし、逆に一の部材の機能を複数の部材で分担して実現することもできる。
（扇子１の構成）
【００１８】
以下、本考案を適用した具体的な実施の形態について、図面を参照しながら詳細に説明する。本考案は、例えば図１に示すような構成の扇子１に適用される。図１乃至図３は、本考案に係る扇子1の全体構成を示す図であって、図１は正面概略図、図２は背面概略図、図３は側面概略図を示している。
【００１９】
図１及び図２に示すように、本考案に係る扇子１は、比較的厚肉の一対の親骨２と、親骨２間に配置され、比較的薄肉の複数本の中骨３と、親骨２及び中骨３の各基端部２１ａ，２２ａ，３１ａ〜３３ａに貫通状態で設けられた要４と、鯉のぼりの柄が配された扇状の布体が、一対の親骨２および複数の中骨３に蛇腹状になるよう固着された屈折地膜５と、親骨２、及び、中骨３の各先端部２１ｂ，２２ｂ，３１ｂ〜３３ｂと、屈折地膜５の上部とを固着する天６とを主要部として備えている。また、扇子１は、責め紙を備えてもよい。
（親骨２）
【００２０】
図２乃至図４に示すように、親骨２は、竹材からなり、側面視において、一方の面が平らな平面部を有し、背面視において、基端部２１ａ，２２ａから先端部２１ｂ，２２ｂに向かって広がる細長い棒状の部材である。親骨２は、二本を一対として使用され、一方の親骨２１の平面部には、屈折地膜５の表面の一端が、他方の親骨２２には、屈折地膜５の裏面の他端が、先端部２１ｂ，２２ｂの端が揃うように取り付けられる。また、親骨２は、基端部２１ａ，２２ａに要４を取り付けるための孔２１ｃ，２２ｃを有しており、この孔２１ｃ，２２ｃに後述する要４を取り付けることで、後述する複数の重ねられた中骨３の両端に、要４を支点として開閉自在に取り付けられる。親骨２は、木材など一般的に扇子1の材料に用いられるものであればよく、見栄えを良くするために装飾を施してもよい。
（中骨３）
【００２１】
中骨３は、竹材からなり、親骨２の間に挟まれ、地膜の裏面に取り付けられる部材である。
【００２２】
中骨３は、背面視において、基端部３１ａ〜３３ａから先端部３１ｂ〜３３ｂに向かって幅が狭くなった細長い棒状で、側面視において、両面が平らな形状を有する。また、中骨３は、基端部３１ａ〜３３ａに要４を取り付けるための孔３１ｃ〜３３ｃを有しており、この孔３１ｃ〜３３ｃに後述する要４が取り付けられることで、親骨２と開閉自在に取り付けられる。親骨２同様、中骨３の材質は、木材など一般的に扇子1に用いられるものであればよく、見栄えを良くするために装飾を施してもよい。
（要４）
【００２３】
要４は、金属製の、要軸４１と留め具４２からなり、要軸４１を親骨２１、中骨３、親骨２２の孔に順に通し、留め具４２で固定することで、親骨２と中骨３を開閉自在に取り付ける。要４の材質は、プラスチック等でもよい。
（屈折地膜５）
【００２４】
図１及び図２、図５に示すように、地膜は、ポリエステル製の鯉のぼりを製造するための生地ＣＬの絵柄部分を扇形に切り出したものである。屈折地膜５の両側部は、二本の親骨２の平面部に先端が揃うように固着されている。また、屈折地膜５は、蛇腹に折り畳まれ、非固着膜片５１と固着膜片５２とを交互に有しており、固着膜片５２には、各中骨３の先端部３１ｂ〜３３ｂが固着されている。屈折地膜５に用いられる布は、ポリエステル、又は、ナイロンなどの鯉のぼりの絵柄の生地ＣＬである。屈折地膜５に用いられる布は、鯉のぼり製造用の生地ＣＬが好ましい。また、固着に用いる接着剤は、一般的な粘着剤であればよい。
（天６）
【００２５】
図２に示すように、天６は、親骨２及び中骨３の先端と、屈折地膜５の先端とを覆うように貼り付けられる紙で、親骨２及び中骨３と、屈折地膜５とを剥がれにくくすると共に、扇子1の先端を装飾する。
（責め紙）
【００２６】
責め紙は、矩形状の紙の端を接着剤で留めた輪状の紙からなる、扇子1の形状保持具である。
（扇子セット１１）
【００２７】
本考案に係る扇子セット１１は、扇子1の基端部を差し込むための複数の孔を備えた木製の台に、複数の本考案に係る扇子1の基端部を、扇子1を開いた状態で差し込み、扇子1を飾った台を覆うようにプラスチック製のカバーを取り付けたものである。
（扇子１の製造方法）
【００２８】
本考案を適用した扇子１の具体的な製造方法について、図面を参照しながら詳細に説明する。
【００２９】
図４に示すように、よく乾燥した竹材を、親骨２は、側面視において、一方の面が平らな平面部を有し、背面視において、基端部２１ａ，２２ａから先端部２１ｂ，２２ｂに向かって広がる細長い棒状に加工する。中骨３は、側面視において、両面が平らな形状に、背面視において、基端部３１ａ〜３３ａから先端部３１ｂ〜３３ｂに向かって幅が狭くなる細長い棒状に加工する。親骨２及び中骨３は、布の下端位置で幅がかわるよう加工すると布の貼り合わせが容易である。細長い棒状に加工された親骨２及び中骨３の基端部２１ａ，２２ａ，３１ａ〜３３ａに孔２１ｃ，２２ｃ，３１ｃ〜３３ｃをあける。
【００３０】
次に、２３本の中骨３を重ねあわせ、両端に、親骨２の平面部が中骨３の平面部と接するように重ね、親骨２及び中骨３の基端部の孔２１ｃ，２２ｃ，３１ｃ〜３３ｃに要軸４１を通す。その後、要軸４１に留め具４２を固定する。
【００３１】
続いて、親骨２及び中骨３の先端部２１ｂ，２２ｂ，３１ｂ〜３３ｂの上端から要４の長さの半径の半円と、親骨２及び中骨３の先端部２１ｂ，２２ｂ，３１ｂ〜３３ｂの下端から要４の長さの半径の半円とからなる扇状の型紙ＰＡを作る。布体を蛇腹折りする際の目印として、等間隔に４８本の線を引く。
【００３２】
次いで、図５に示すように、予め、糊付けし、乾燥させた後、アイロンをかけた、ポリエステル製の鯉のぼりを製造するための生地ＣＬの裏面に型紙ＰＡを当て、型紙ＰＡにあわせて、生地ＣＬに扇子1の外郭及び折線の印をつけ、外郭の印の約１ｃｍ外側を裁断後、折り線にあわせて蛇腹になるように折り畳む。そして、扇面の両端は外郭ラインまで折り畳み、親骨２の半幅程度、外郭ラインの外側で切り落とす。扇面の下端は型紙ＰＡにあわせて切り落とす。
【００３３】
次に、扇面の端が貼り合わせ面の内側に入るよう、外郭ラインにあわせて、粘着剤で親骨２の平面部に布を貼り付ける。端から順に、固着膜片５２の幅の中央に中骨３を順に粘着剤で貼り付け、最後に（他方の）親骨２の平面部に、扇面の（他）端が貼り合わせ面の内側に入るよう、外郭ラインにあわせて、粘着剤で親骨２を貼り付ける。粘着剤が乾燥した後、親骨２及び中骨３の先端にあわせて布を裁断する。
【００３４】
最後に、幅６ｍｍ程度の伸縮自在な紙を、親骨２及び中骨３の先端と、屈折地膜５の先端とを包むように親骨２及び中骨３の先端にあわせて貼り付ける。
【００３５】
以上説明したように、本考案に係る扇子1及び扇子セット１１は、鯉のぼりの柄を、日本の伝統工芸品としても有名な扇子の地膜に使用することで、新たな需要を開拓することができる。例えば、鯉のぼりの様に、子供が健康に育ち、将来は大きく出世して欲しいという願いをこめて、誕生祝いなどとして贈ることができる。扇子は女性への贈答品として選択すると喜ばれることが多いため、扇子という物品の形態をとることで、男の子ばかりでなく、女の子の誕生祝としての需要も満たすことができる。このように、子供の性別が分からない場合の贈答品としてもよく、複数の人から貰ってもよいので、家族以外からでも気軽に贈ることができる。飾らない時は折り畳んで収納でき、飾るときも狭いスペースで飾ることができる。
【産業上の利用可能性】
【００３６】
本考案の扇子及び扇子セットは、贈答品や土産物、装飾品として、好適に使用できる。
【符号の説明】
【００３７】
１…扇子
２…親骨
２１…親骨，２１ａ…基端部，２１ｂ…先端部，２１ｃ…孔，２２…親骨，２２ａ…基端部，２２ｂ…先端部，２２ｃ…孔
３…中骨
３１…中骨，３１ａ…基端部，３１ｂ…先端部，３１ｃ…孔，３２…中骨，３２ａ…基端部，３２ｂ…先端部，３２ｃ…孔，３３…中骨，３３ａ…基端部，３３ｂ…先端部，３３ｃ…孔
４…要
４１…要軸，４２…留め具
５…屈折地膜
５１…非固着膜片，５２…固着膜片
６…天
ＰＡ…型紙，ＣＬ…生地
【図１】
0003207563.tif 000003
【図２】
0003207563.tif 000004
【図３】
0003207563.tif 000005
【図４】
0003207563.tif 000006
【図５】
0003207563.tif 000007